(57)【特許請求の範囲】
【請求項１】
少なくとも前後一対のニードルベッドを有し、そのいずれか一方または双方のニードルベッドが左右ラッキング可能に構成される横編機を使用した編地端部の伏目処理方法であって、
（ａ）  伏目処理の対象となる編地最終コースにおいて、伏目ループの形成を行うウエールのループの内、伏目処理の進行方向において上手側に位置するウエールのループを係止している針を除き、それ以外のウエールのループを係止している針に伏目処理の進行方向に給糸して最初のコースの伏目ループを形成する工程
（ｂ）  給糸口を反転させ、前記伏目ループの形成を行うウエールの内、伏目処理の進行方向において下手側に位置するウエールのループを係止している針を除き、それ以外の針に伏目処理の進行方向と逆方向に給糸して次コースの伏目ループを形成する工程
（ｃ）  前記工程ａおよび工程ｂにおいて形成した伏目ルーを伏目処理の進行方向に移動させ、伏目処理の進行方向において下手側のウエールの伏目ループに隣接する編地最終コースのループと重ねて二重ループを形成する工程
（ｄ）  前記工程ａ〜ｃの編成を伏目処理の進行方向にある編地最終コースのループに対し繰り返し行う工程
を含むことを特徴とする伸縮性に優れた伏目処理方法。
【請求項２】
前記伏目ループの内、下手側ウエールのループおよび上手側ウエールのループを除く中間ウエールのループの形成に先立ち、対向するニードルベッド上に目移しし、対向するニードルベッド上で次コースのループを裏目として形成した後、元のニードルベッド上に移し戻すことことで、中間ウエールのループを少なくとも１コース分裏目として形成することを特徴とする請求項１に記載の伏目処理方法。
【請求項３】
少なくとも前後一対のニードルベッドを有し、その少なくとも一方または双方のニードルベッドが左右ラッキング可能に構成される横編機を使用した編地端部の伏目処理方法であって、
（ａ）  伏目処理の対象となる編地最終コースにおいて、隣接する２ウエールのループに、伏目処理の進行方向に従って給糸して最初のコースの伏目ループを形成する工程
（ｂ）  給糸口を反転させ、伏目処理の進行方向において上手側に位置するウエールのループに次コースの伏目ループを形成する工程、
（ｃ）  工程ａおよび工程ｂで形成した伏目ループを伏目処理の進行方向に移動させ、伏目処理の進行方向において下手側に位置するウエールのループを、隣接する編地最終コースのループに重ねて二重ループを形成する工程
（ｄ）  前記工程ａ〜ｃの編成を伏目処理の進行方向にある編地最終コースのループに対し繰り返し行う工程
を含むことを特徴とする伸縮性に優れた編地端部の伏目処理方法。
【発明の詳細な説明】
技術分野
本発明は横編機を使用し、編地を編成する過程で編地端部を解れ止め処理する伏目処理方法に関し、特に伸縮性が必要とされる箇所の伏目処理に好適な伏目処理方法に関する。
背景技術
横編機で編地を編成する際に、編地端縁の解れ止め処理を行ったり、編地を所望の形状に編成することで、編地編成後の後処理を簡略化できるインテグラルガーメントと呼ばれる編地を編成する方法が提案されている。さらに、より進んで編機上で完成品に近い状態の編地を編成することで、縫製作業等の後処理を殆ど必要としない無縫製編地と呼ばれる編地を編成する編成方法も種々提案されている。無縫製編地の編成方法を第１図に示すセーター１を編成する場合を例に説明する。セーター１は前身頃部３および後身頃部５の裾ゴム９および左右両袖７ａ，７ｂの袖口部１１ａ，１１ｂから編成が開始される。前後両身頃部３，５と袖部７ａ，７ｂとの接合が開始される脇部分に向かい成形編を行い、脇部分では左右の袖部をそれぞれ身頃側に移動させて前後両身頃部３，５に接合する。前後両身頃部３，５と袖部７ａ，７ｂの接合完了後、肩部１７ａ，１７ｂで前後両身頃部３，５の最終コースのループを接合し、最後にネック部１３を形成することでセーター１が後処理を必要としない無縫製編地として編成される。セーター１のネック部の最終コースは伏目処理と呼ばれる編成方法により解れ止め処理される。伏目処理とは、編地最終コースのループを隣接するループと重ね合わせて二重ループを形成し、該二重ループに次コースのループを形成し、新たに形成したループを更に隣のループと重ねて次コースのループを形成する編成を、編地の一端から他側に向けて繰り返し行うことで、編地最終コースのループを解れ止め処理する方法である。
第１１図の編成コース図、および第１１図に示される編成により伏目処理された編地のループ第１２図を使用し従来の伏目処理方法を説明する。第１１図のコース０は針Ｂ・Ｄ・Ｆ…に係止される前側編地部２０１と、針ａ・ｃ・ｅ…に係止される後側編地部２０３がその両端で連続する筒状編地の伏目処理前の状態を示す。第１１図のコース１では針Ｔ・Ｒに給糸して編地最終コースのループに続くループ２１１，２１３を形成し、給糸口９５を右方向に移動させた後、コース２では針Ｔ・Ｒのループ２１１、２１３を後ベッドに目移しし、コース３では更に針Ｐ・Ｒに目移しして針Ｐの編地最終コースのループ２２１と二重ループを形成し、コース４で針Ｒ・Ｐに給糸して次コースのループ２１５，２１７を形成する。これにより、コース０の状態から針に係止されているループの数が１ループ分減少する。コース１からコース３に示される編成を伏目処理の進行方向となる左側に向かい繰り返して前側編地部２０１を伏目処理した後、後側編地部２０３を左から右側に向かって繰り返して後側編地部２０３を伏目処理する。
上記編成により伏目処理された編地は第１２図に示されるように（第１２図は前側編地部２０１の伏目処理の開始箇所近辺のみ示す）、コース１およびコース４で形成されたループの内、伏目処理の進行方向である左側に形成されたループ２１３、２１７が、編地最終コースのループ２２１，２２３と直交する状態で重ねられて伏目処理の開始地点から終了地点に向かって延び、同様に伏目処理の進行方向と逆方向の右側で形成されるループ２１１、２１５も編地最終コースのループと直交する状態でループ２１３，２１７と並列に延びた状態となる。ループ２１３，２１７のように編地最終コースのループ２２１，２２３と直交する状態で編地最終コースのループと重ねられ、隣接する編地最終コースのループ同士を連結するループ、および前記ループ２１３，２１７と並列に形成されるループ２１１，２１５のように、伏目処理の過程で形成され、編地最終コースに沿って延びるループを以下の説明では伏目ループと呼ぶ。第１２図に示す編地のように、伏目ループが２ウエールを形成される伏目は２目伏目と呼ばれ、３ウエールを使用して形成される伏目は３目伏目と呼ばれる。
インテグラルガーメントや無縫製編地では、横編機上で編成された編地がそのまま製品の一部となる。したがって、伸縮性や堅牢性、さらには見た目の綺麗さなど、製品の各部分に必要とされる条件を備えた編地として編成しておく必要がある。上記したセーター１は、着用の際にネック部１３に力がかかり、引き伸ばされることが多く、この部分の伸縮性が乏しいと着用時に糸切れが発生して解れ生じたり、ネック部分１３が伸び切り見苦しくなるなどの問題が発生する。しかしながら、第１１図および第１２図に示される伏目処理方法により伏目処理された編地は、左右に伸ばされる方向に力が掛かった場合、編地最終コースのループ２１９，２２１，２２３と連結されるループ２１１，２１３とループ２１７，２２５が同時に左右に引かれるため、それ以上伸びることができない。したがってネック部分１３のような高い伸縮性が要求される部分の伏目処理には伸縮性が不足し、糸切れの発生やネック部１３への頭の挿通が困難となるなどの問題があった。
上記した問題を解決するため、第１１図のコース１の編成後、コース２の編成に移る前に給糸口９５を右方向に移動する過程で針Ｒ・Ｔに給糸することで、伏目ループを２コース分形成する毎に編地最終コースのループと重ねる伏目処理方法がある。しかしながら、このような伏目処理方法で伏目処理された編地は、伏目ループのコース数が増えるため、力が掛かっていない状態でも伏目処理箇所が伸び切り、伏目箇所の締まりがなくなったり、編地最終コースのループ間の間隔が広がり、孔が開いたように見えるなどの問題があった。本発明は、編地に力が掛かった場合には十分に伸びるとともに、力が掛かっていない状態ではしっかりと収縮する伸縮性に優れた新規な伏目処理方法を開示しようとするものである。
発明の開示
上記した課題に鑑み、本発明の伸縮性に優れた編地端部の伏目処理方法は、少なくとも前後一対のニードルベッドを有し、そのいずれか一方または双方のニードルベッドが左右ラッキング可能に構成される横編機を使用した編地端部の伏目処理方法であって
（ａ）  伏目処理の対象となる編地最終コースにおいて、伏目ループの形成を行うウエールのループの内、伏目処理の進行方向において上手側に位置するウエールのループを係止している針を除き、それ以外のウエールのループを係止している針に伏目処理の進行方向に給糸して最初のコースの伏目ループを形成する工程
（ｂ）  給糸口を反転させ、前記伏目ループの形成を行うウエールの内、伏目処理の進行方向において下手側に位置するウエールのループを係止している針を除き、それ以外の針に伏目処理の進行方向と逆方向に給糸して次コースの伏目ループを形成する工程
（ｃ）  前記工程ａおよび工程ｂにおいて形成した伏目ループを伏目処理の進行方向に移動させ、伏目処理の進行方向において下手側のウエールの伏目ループに隣接する編地最終コースのループと重ねて二重ループを形成する工程
（ｄ）  前記工程ａ〜ｃの編成を伏目処理の進行方向にある編地最終コースのループに対し繰り返し行う工程
を含むことを特徴とする。上記した発明の構成によれば、下手側ウエールと上手側ウエール間に形成される中間ウエールで、下手側ウエールおよび上手側ウエールの２倍のコース数のループが形成される。これにより下手側ウエールのループと中間ウエールのループを結ぶ渡り糸が異なるコースで形成された中間ウエールのループに渡る状態となり、同様に上手側ウエールのループと中間ウエールのループを結ぶ渡り糸も異なるコースで形成された中間ウエールのループに渡る状態となる。
また、前記伏目ループの内、下手側ウエールのループおよび上手側ウエールのループを除く中間ウエールのループの形成に先立ち、対向するニードルベッド上に目移しし、対向するニードルベッド上で次コースのループを裏目として形成した後、元のニードルベッド上に移し戻すことことで、中間ウエールのループを少なくとも１コース分裏目として形成することも特徴の一つである。上記した発明の構成によれば、表目として形成される下手側ウエールのループおよび上手側ウエールのループと、裏目として形成される中間ウエールのループ間の渡り糸が中間ウエールのループを表目として形成する場合に比べ長くなる。
また、少なくとも前後一対のニードルベッドを有し、その少なくとも一方または双方のニードルベッドが左右ラッキング可能に構成される横編機を使用した編地端部の伏目処理方法であって、
（ａ）  伏目処理の対象となる編地最終コースにおいて、隣接する２ウエールのループに、伏目処理の進行方向に従って給糸して最初のコースの伏目ループを形成する工程
（ｂ）  給糸口を反転させ、伏目処理の進行方向において上手側に位置するウエールのループに次コースの伏目ループを形成する工程、
（ｃ）  工程ａおよび工程ｂで形成した伏目ループを伏目処理の進行方向に移動させ、伏目処理の進行方向において下手側に位置するウエールのループを、隣接する編地最終コースのループに重ねて二重ループを形成する工程
（ｄ）  前記工程ａ〜ｃの編成を伏目処理の進行方向にある編地最終コースのループに対し繰り返し行う工程
からなることを特徴とする。上記した発明の構成によれば、上手側ウエールでは、下手側ウエールの２倍のコース数のループが形成される。これにより下手側ウエールのループと上手側ウエールのループを結ぶ一対の渡り糸が異なるコースで形成された上手側ウエールのループに渡る状態となる。
【図面の簡単な説明】
第１図は本発明により伏せ目処理されたセーター１を示す図であり、第２図〜第５図は本発明の第１実施例を示す編成コース図であり、第６図は本発明の第１実施例により伏目処理された編地のループ図であり、第７図は本発明の第２実施例を示す編成コース図であり、第８図は本発明の第３実施例を示す編成コース図であり、第９図は本発明の第４実施例を示す編成コース図であり、第１０図は本発明の第４実施例により伏目処理された編地のループ図であり、第１１図は従来の伏目処理方法を示す編成コース図であり、第１２図は従来の伏目処理方法により伏目処理された編地のループ図である。
発明を実施するための最良の形態
本発明の実施例を上記した第１図のセーター１のネック部１３の最終コース１５を伏目処理する場合を例に説明する。なお、本実施例では説明を容易にするため、実際の編成に使用される針本数より極少数の編針のみを使用して編成する場合を説明する。また、前側編地部１３ａと後側編地部１３ｂがその両端部で連続する筒状編地を解れ止め処理する場合を例に説明するが、本発明の実施は筒状編地の伏目処理に限定されない。
本発明の伏目処理方法は、少なくとも前後一対の針ベッドを備え、その前後何れかの針ベッドが左右方向にラッキング可能に構成される横編機で実施可能であり、以下の説明では、前後一対の針ベッドを備え、後ベッドが左右ラッキング可能に構成される二枚ベッド横編機を使用する。本実施例では、二枚ベッド横編機上で筒状編成を行う過程で目移しを可能とするため、偶数番目の針を前側編地編成用の針、奇数番目の針を後側編地編成用の針とし、対向する前後一対の編針の内、何れか一方の編針のみがループを係止した状態で編成を行うことで、対向する針ベッド上に目移し用の空針を確保しながら編成を行う針抜き編成を行う。前後一対の下部ベッド上にトランスファージャックまたは編針等の目移し用部材が配置される上部ベッドを備えた横編機を使用する場合には、ループの形成に使用する編針間に空針を配置しない状態での編成が可能である。
＜第１実施例＞
本発明の第１実施例を説明する。第２図のコース０は第１図のセーター１のネック部１３までの編成が完了し、前ベッドの一本置きの針Ｂ・Ｄ・Ｆ…にネック部１３の前側編地部１３ａの最終コースのループが、後ベッドの針ａ・ｃ・ｅ…に後側編地部１３ｂの最終コースのループが係止された状態を示している。
ネック部１３の伏目処理は、前側編地部１３ａの右端から開始され、前側編地部１３ａの左端まで伏目処理した後、後側編地部１３ｂの左端から右端に向かって行われる。第１実施例では、伏目処理の過程で形成され、編地最終コースのループと直交する状態で、編地最終コースに沿って編地のウエール方向に伸びる伏目ループを３ウエールの針を使用して形成する３目伏目を行う。
なお、以下の説明においては、伏目ループを形成する３ウエールの内、伏目処理の進行方向に向かって最も下手側に位置するウエールを下手側ウエール、最も上手側に位置するウエールを上手側ウエールと呼び、下手側ウエールと上手側ウエール間に位置するウエールを中間ウエールと呼ぶものとする。本実施例では、前ベッドの針Ｐ・Ｒ・Ｔから伏目処理を開始するのでコース０では針Ｐが下手側ウエール、針Ｔが上手側ウエール、針Ｒが中間ウエールのループを係止している。
第２図から第５図の編成コース図および第６図のループ図を使用して第１実施例を説明する。第２図から第５図において、左側の数字はコース番号を、大文字のアルファベットは前ベッドの針を、小文字のアルファベットは後ベッドの針を示す、左右方向の矢印は給糸方向を、上下方向の矢印は目移しの方向を示す。第６図は第１実施例により伏目処理された編地のループ図である（但し、表側編地部１３ａの伏目処理開始部近辺のループのみ示す）。伏目ループには、何回目の伏目処理により形成されたかを示す番号を付し、編地最終コースのループにはそのループが形成された針（Ｊ・Ｌ・Ｎ・Ｐ・Ｒ・Ｔ）を付す。１Ａ、１Ｂおよび１−１、１−２がコース１〜６で示される１回目の伏目処理により形成されたループであり、１Ａが下手側ウエールのループ、１ｂが上手側ウエールのループであり、１−１が往路編成により形成された中間ウエールのループ、１−２は復路編成により形成された中間ウエールのループである。同様に２〜４も２〜４回目の伏目処理により形成されたループを示す。２１ａ、２１ｂ、２１ｃ、２１ｄ、２１ｅ、２１ｆはそれぞれ針Ｔ・Ｒ・Ｐ・Ｎ・Ｌ・Ｊで形成された編地最終コースのループである。
第２図のコース１では針Ｒのループを後ベッドに目移しし、コース２では伏目処理の進行方向に向かって給糸する編成（以降、往路編成と呼ぶ）により中間ウエールのループを係止している針ｒと下手側ウエールのループを係止している針Ｐに給糸口９５で給糸して伏目ループ３１，３３を形成する。次ぎにコース３では針ｒのループ３１を針Ｒに目移しし、コース４では伏目処理の進行方向と逆方向に向かって給糸する編成（以降、復路編成と呼ぶ）により針Ｒおよび上手側ウエールのループを係止している針Ｔに伏目ループ３５，３７を形成する。
第１実施例は、１回の伏目処理で２コース分のループが形成される中間ウエールのループを、往路編成では裏目３１、復路編成では表目３５として形成することを特徴とする。コース５および６では、コース２およびコース４の編成で新たに形成した針Ｐ・Ｒ・Ｔの伏目ループ３３，３５，３７を針Ｎ・Ｐ・Ｒに移動させる。これにより針Ｎには編地最終コースのループ２１ｄと伏目ループ３３が係止される。上記コース１からコース６に示される編成が編地最終コースのループ１目を伏目処理するのに必要な伏目処理１回分の編成である。コース７〜第３図のコース１２ではコース１〜コース６に示される編成が、前側編地部１３ａの伏目処理の進行方向となる左側に向かって行われる。上記した編成によりコース０でループを係止していた針Ｔおよび針Ｒからループが外された状態となる。
次ぎに第３図のコース１３から、前側編地部１３ａから後側編地部１３ｂの伏目処理へと移行する箇所の編成を説明する。第１３図は上記コース１からコース６に示される編成を前側編地部１３ａの編地最終コースに対し繰り返し行うことで、コース０で針Ｈ・Ｊ・Ｌ・Ｎ・Ｐ・Ｒ・Ｔに係止されていた編地最終コースのループの伏目処理が完了し、針Ｂ・Ｄ・Ｆのみに伏目ループ４１，４３，４５が係止された状態を示す。後側編地部１３ｂでは左から右側に向かって伏目処理を行う。コース１４では伏目ループの下手側ウエールのループである針Ｂのループ４１を後ベッドの針ａに目移しし、後側編地部１３ｂの最終コースのループ４７と重ねる。次ぎにコース１５では針Ｄ・Ｆに係止されている残りの伏目ループ４３，４５を針ｄ、ｆに目移しした後、コース１６で針Ｂ・Ｄに目移しする。これは第２図のコース５およびコース６に対応する編成である。コース１７では、中間ウエールのループを裏目として形成するため針Ｂのループ４３を針ｂに目移しする。そしてコース１８では針ｂに給糸して中間ウエールの伏目ループ４９を形成し、コース１９では針ｂのループを針Ｂに移し戻し、コース２０では針ａに給糸して下手側ウエールのループ５１を形成する。コース１７からコース２０の編成は第２図のコース１からコース３の編成に対応する編成である。コース２では往路編成が１コースで行われたが、前側編地部１３ａから後側編地部１３ｂへと伏目処理が移行する箇所では伏目ループが前後の針ベッドに振り分けられた状態となっているため、コース１８とコース２０の２コースに分けて往路編成を行う。
次ぎに給糸口９５を左に移動させた後、第４図のコース２１では針Ｂおよび針Ｄに給糸して伏目ループ５３，５５を形成し、コース４に対応する復路編成を行う。コース２２では下手側ウエールの針ａのループ５１を針Ａに目移しした後、コース２３では針ｃに目移しして後側編地部１３ｂの最終コースのループ５７と重ねる。コース２４では針Ｂの中間ウエールのループ５３を針ａに目移しし、コース２５では針Ｄのループ５５を針ｄに目移しした後、コース２６では針Ｂに目移しする。上記コース２２からコース２６の編成は第２図のコース５およびコース６に対応する編成である。給糸口９５を右方向に移動させた後、コース２７では中間ウエールのループを裏目として形成するため、針ａのループ５３を針Ａに目移しし、コース２８では中間ウエールのループ５３を係止している針Ａおよび上手側ウエールのループ５１を係止している針ｃに給糸する往路編成により伏目ループ５９，６１を形成する。コース２９では中間ウエールのループ５９を針ａに移し戻し、コース３０は針ａに給糸して中間ウエールのループ６３を形成し、第５図のコース３１では上手側ウエールのループ５５を係止している針Ｂに給糸して伏目ループ６５を形成する復路編成を行う。そしてコース３２およびコース３３では後側編地部分１３ｂ側に移動した伏目ループ６１，６３を後側編地部分１３ｂの伏目処理の進行方向である右側に移動させて針Ｅの編地最終コースのループと重ねる。そしてコース３４で針Ｂのループ６５を針ａに目移しすることで前側編地部１３ａの全てのループの伏目処理が完了する。続いて、コース１からコース６の編成と同様の編成が後側編地部１３ｂの伏目処理の進行方向となる右方向に向かってコース３５からコース４０で行われ、以後、コース３５からコース４０に示される編成を後側編地部分１３ｂの右端に向かって繰り返し行うことで後側編地部１３ｂのループが伏目処理される。
第１実施例により伏目処理された編地は、第６図に示すように、編地に力が掛かっていない状態では、下手側ウエールのループ１Ａ、２Ａ、３Ａおよび上手側ウエールのループ１Ｂ、２Ｂ、３Ｂの２倍のコース数で形成される中間ウエールのループ１−１，１−２，２−１，２−２，３−１，３−２は、下手側ウエールのループ１Ａ、２Ａ、３Ａおよび上手側ウエールのループ１Ｂ、２Ｂ、３Ｂと釣り合いをとるため通常のループよりも縮んだ状態となっている。しかしながら、編地に力が掛かった場合には、中間ウエールのループ１−１，１−２，２−１，２−２，３−１，３−２から編糸が引き出され、下手側ウエールのループ１Ａ，２Ａ，３Ａおよび上手側ウエールのループ１Ｂ，２Ｂ，３Ｂが拡大されることで伏目箇所の伸縮性が確保される。
また、１回の伏目処理に２コース分のループが形成される中間ウエールのループが、１回の伏目処理に１コースのループのみが形成される下手側ウエールのループ１Ａ，２Ａ，３Ａおよび上手側ウエールのループ１Ｂ，２Ｂ，３Ｂと並んだ状態に形成されることで、上記従来の伏目処理方法の項で説明した１回の伏目処理に全てのウエールのループを２コース分の形成する伏目処理方法のように編地端部が伸び切り、締まりがかくなったり、孔が開く等の問題が発生しない。更に本実施例では、往路編成を行うコースでは中間ウエールのループを裏目として形成しているため、後述する第２実施例のように中間ウエールのループの双方を表目に形成する場合に比べ、隣り合うループとの渡り糸が長くなることで伸縮性に優れる。
＜第２実施例＞
次ぎに第７図を使用し第２実施例を説明する。第１実施例と異なるのは、中間ウエールのループを往路編成および復路編成の双方で表目として形成する点である。なお、第１実施例と第２実施例では往路編成のみが異なるため、説明はその部分に限り、第１実施例のコース０に続いて編成する場合を説明する。第７図のコース１からコース４は第１実施例のコース１からコース６に対応する編成である。第２実施例のコース１では給糸口９５により針Ｒ・Ｐに給糸しループ７１，７３を形成し、コース２では給糸口９５を反転させ針Ｒ・Ｔに給糸してループ７５，７７を形成する。そしてコース３およびコース４でコース１およびコース２で形成した伏目ループ７３，７５，７７を針Ｎ・Ｐ・Ｒに目移しすることで伏目処理１回分の編成が完了し、コース１からコース４に示される編成を繰り返すことで伏目処理を行う。第２実施例では、第１実施例のコース１およびコース３で行われた前後ベッド間での目移しは不要となる。
＜第３実施例＞
次ぎに第８図を使用し第３実施例を説明する。第３実施例は、伏目ループの中間ウエールのウエール数を更に増やした例で、伏目ループの形成を４ウエールで行い、中間ウエールのウエール数を２ウエールとする。第８図のコース１からコース４は第１実施例のコース１からコース６に対応する編成である。コース１では針Ｒ・Ｐ・Ｎに給糸してループ８１、８３、８５を形成し、コース２では針Ｐ・Ｒ・Ｔに給糸してループ８７，８９，９１を形成する。そしてコース３およびコース４ではコース１およびコース２で形成した針Ｎ・Ｐ・Ｒ・Ｔの伏目ループ８５，８７，８９，９１を針Ｌ・Ｎ・Ｐ・Ｒに目移しすることで伏目処理１回分の編成が完了し、コース１からコース４に示される編成を繰り返すことで伏目処理を行う。
＜第４実施例＞
次ぎに第９図および第１０図を使用し第４実施例を説明する。第４実施例は第１実施例の上手側ウエールでの編成を省いた例である。第４実施例は、２目伏目であるため、伏目ループは伏目処理の進行方向において下手側に形成される下手側ウエールのループと、上手側に形成される上手側ウエールのループから構成される。第９図において、コース１では、上手側ウエールのループを裏目として形成するため、針Ｔのループ１０１を針ｔに目移しし、コース２では給糸口９５を伏目処理の進行方向の下手側に移動させて給糸する往路編成により、針ｔおよび針Ｒに給糸して伏目ループ１０３，１０５を形成する。コース３では針ｔのループを針Ｔに移し戻した後、コース４では給糸口９５を右方向に移動させ給糸する復路編成により針Ｔに給糸して伏目ループ１０７を形成する。コース５では、コース２およびコース４で形成したループ１０５，１０７を針ｒ・ｔに目移しした後、コース６で針Ｐ・Ｒに目移しして上手側ウエールのループ１０５を針Ｐに係止されている編地最終コースのループ１０９と重ねる。以降、コース１からコース６に示される編成を伏目処理の進行方向に向かって繰り返し行うことで編地最終コースのループが伏目処理される。
第４実施例により伏目処理された編地は第１０図に示すように、第６図に示す第１実施例のループ図から上手側ウエールのループ１Ｂ・２Ｂ・３Ｂ・４Ｂを除いたループ図となる。第１実施例では、中間ウエールのループ１−１、１−２、２−１、２−２から引き出された編糸は、下手側ウエールのループ１Ａ、２Ａ、３Ａおよび上手側ウエールのループ１Ｂ、２Ｂ、３Ｂ、４Ｂの両方ウエールのループに引き込まれるのに対し、第４実施例では下手側ループ１Ａ、２Ａ、３Ａのみに引き込まれるため、第１実施例の編地に比べ、より伸縮性に優れた編地となる。
上記したように、本発明の伏目処理方法では、編地に力が掛かった場合に糸が引き出される中間ウエールのループ（第１、第２、第３実施例）、または上手側ウエールのループ（第４実施例）を下手側ウエールのループと連続して形成している。したがって、編地最終コースのループと重ねられる下手側ウエールのループと、下手側ウエールのループの２倍のコース数で形成される中間ウエールのループ（第１、第２、第３実施例）、または上手側ウエールのループ（第４実施例）間に渡る２本の渡り糸が、それぞれ違うコースで形成された中間ウエールのループ（第１、第２、第３実施例）、または上手側ウエールのループ（第４実施例）と連結される。これにより、中間ウエールのループ（第１、第２、第３実施例）、または上手側ウエールのループ（第４実施例）から引き出された糸がダイレクトに下手側ウエールのループに供給され、下手側ウエールの伸縮がスムーズに行われるために伸縮性に優れた編地となる。
なお、上記した実施の形態は実施の一例を示したものであり、中間ウエールのループを全て裏目として形成するなど本発明の主旨を逸脱しない範囲において種々変更可能である。
産業上の利用可能性
上記したように本発明の伏目処理方法では、伏目処理の過程で形伏目ループを形成する際に、伏目ループの下手側ウエールのループおよび上手側ウエールのループ間のウエールの針を使用して形成される中間ウエールのループを、下手側ウエールのループおよび上手側ウエールのループ間のウエールのループの２倍のコース数で形成する。したがって、編地に力が掛かった場合には、中間ウエールのループから糸が引き出されて下手側ウエールのループおよび上手側ウエールのループが拡大されることで伸縮性に優れた伏目箇所となる。
また、中間ウエールのループの形成に先立ち、対向するニードルベッド上に目移しし、対向するニードルベッド上で次コースのループを裏目として形成した後、元のニードルベッド上に移し戻すことことで、中間ウエールのループを少なくとも１コース分裏目として形成した場合には、中間ウエールのループを全て表目として形成する場合に比べ、ループ間の渡り糸が長くなり、その分伸縮性に優れた伏目箇所となる。
また、編地最終コースの隣接する２ウエールのループの内、伏目処理の進行方向において上手側に位置するウエールでは１回の伏目処理に２コース分のループを形成し、下手側に位置するウエールでは１回の伏目処理に１コース分のループを形成して伏目処理した場合には、編地に力が掛かった時に、２コース分ループが形成されるウエールのループから糸が引き出された編糸が、伏目処理の進行方向下手側のウエールのループのみに引き込まれて該ループが拡大されることで伸縮性に優れた伏目箇所となる。
【図１】
0003541191.tif 000002
【図２】
0003541191.tif 000003
【図３】
0003541191.tif 000004
【図４】
0003541191.tif 000005
【図５】
0003541191.tif 000006
【図６】
0003541191.tif 000007
【図７】
0003541191.tif 000008
【図８】
0003541191.tif 000009
【図９】
0003541191.tif 000010
【図１０】
0003541191.tif 000011
【図１１】
0003541191.tif 000012
【図１２】
0003541191.tif 000013